(57)【要約】【課題】ヘアドライヤー等のヘアケア装置の温風から容器内の液体や粉体への熱の影響を抑制すると共に、噴射された霧状体をヘアケア装置の送風に十分に混合させることができるヘアケア装置用のフード、及びヘアケア装置を提供する。【解決手段】ヘアケア装置用のフードであって、前記ヘアケア装置は、送風路を構成し、風の吹出口に前記フードが装着されるハウジングと、前記ハウジング内に設けられ前記吹出口へ送風する送風器と、前記送風路の外周側に配され霧状体を送風方向に沿って噴射する噴霧器とを備え、前記フードは、前記吹出口から送風方向へ延びるフード本体と、前記フード本体に支持され、前記噴霧器から噴射された前記霧状体を前記フード本体の外周側から内周側に導入する導入部材とを備える。【選択図】図２
2020141919.tif 000002
【特許請求の範囲】
【請求項１】
ヘアケア装置用のフードであって、
前記ヘアケア装置は、
送風路を構成し、風の吹出口に前記フードが装着されるハウジングと、
前記ハウジング内に設けられ前記吹出口へ送風する送風器と、
前記送風路の外周側に配され霧状体を送風方向に沿って噴射する噴霧器と
を備え、
前記フードは、
前記吹出口から送風方向へ延びるフード本体と、
前記フード本体に支持され、前記噴霧器から噴射された前記霧状体を前記フード本体の外周側から内周側に導入する導入部材と
を備えるヘアケア装置用のフード。
【請求項２】
前記導入部材は、前記霧状体の噴射領域に面して配された羽部材である請求項１に記載のヘアケア装置用のフード。
【請求項３】
前記羽部材は、送風方向上流側から下流側にかけて前記フード本体の内周側に向かって傾斜している請求項２に記載のヘアケア装置用のフード。
【請求項４】
前記羽部材は、送風方向に見て前記霧状体の噴射領域の近傍から前記フード本体の内周側へ延びるように設けられている請求項３に記載のヘアケア装置用のフード。
【請求項５】
前記噴霧器の噴射口は、前記フード本体の外に配され、
前記フード本体は、前記噴霧装置から前記霧状体の噴射領域に面して開口が形成されている請求項１〜４の何れか１項に記載のヘアケア装置用のフード。
【請求項６】
前記霧状体は、霧状の液体又は粉体である請求項１〜５の何れか１項に記載のヘアケア装置用のフード。
【請求項７】
請求項１〜６の何れか１項に記載のヘアケア装置用のフードと、
送風路を構成し、風の吹出口に前記フードが装着されるハウジングと、
前記ハウジング内に設けられ前記吹出口へ送風する送風器と、
前記送風路の外周側に配され霧状体を送風方向に沿って噴射する噴霧器と
を備えるヘアケア装置。
【発明の詳細な説明】
【技術分野】
【０００１】
本発明は、ヘアケア装置用のフード、及びヘアケア装置に関する。
【背景技術】
【０００２】
液体容器内の液体を霧化する超音波振動ユニットを備えるヘアドライヤーが知られている（例えば、特許文献１参照）。特許文献１に記載のヘアドライヤーでは、超音波振動ユニットと液体容器とがヘアドライヤーの上部に内蔵され、霧化した液体の放出口がヘアドライヤーのフードの上部に臨んでいる。
【先行技術文献】
【特許文献】
【０００３】
【特許文献１】特開２０１２−２００３７０
【発明の概要】
【発明が解決しようとする課題】
【０００４】
本発明は、ヘアドライヤー等のヘアケア装置の温風から容器内の液体や粉体への熱の影響を抑制すると共に、噴射された霧状体をヘアケア装置の送風に十分に混合させることができるヘアケア装置用のフード、及びヘアケア装置を提供することを目的とする。
【課題を解決するための手段】
【０００５】
上記目的を達成するために、一態様に係るヘアケア装置用のフードは、前記ヘアケア装置の吹出口から送風方向へ延びるフード本体と、前記フード本体に支持され、前記ヘアケア装置の噴霧器から噴射された霧状体を前記フード本体の外周側から内周側に導入する導入部材とを備える。
【０００６】
上記目的を達成するために、一態様に係るヘアケア装置は、上記のヘアケア装置用のフードと、送風路を構成し、風の吹出口に前記フードが装着されるハウジングと、前記ハウジング内に設けられ前記吹出口へ送風する送風器と、前記送風路の外周側に配され霧状体を送風方向に沿って噴射する噴霧器とを備える。
【発明の効果】
【０００７】
本発明によれば、ヘアドライヤー等のヘアケア装置の温風から容器内の液体や粉体への熱の影響を抑制すると共に、噴射された霧状体をヘアケア装置の送風に十分に混合させることができる。
【図面の簡単な説明】
【０００８】
【図１】図１は、本発明の一実施形態に係るヘアケア装置及びヘアケア装置用のフードを示す概略断面図である。
【図２】図２は、本発明の一実施形態に係るフードを示す斜視図である。
【図３】図３は、図２のフードを示す正面図である。
【図４】図４は、図２のフードを示す背面図である。
【図５】図５は、一実施例に係るヘアケア装置を用いた実験を示す写真である。
【図６】図６は、比較例に係るヘアケア装置を用いた実験を示す写真である。
【発明を実施するための形態】
【０００９】
以下、図面を参照して本発明の一実施形態に係るヘアケア装置及びヘアケア装置用のフードについて説明する。なお、発明の実施の形態を通じて本発明を説明するが、特許請求の範囲に係る発明を以下の実施形態に限定するものではない。また、実施形態で説明する構成の全てが課題を解決するための手段として必須であるとは限らない。
【００１０】
図１は、本発明の一実施形態に係るヘアケア装置１０及びヘアケア装置用のフード１００を示す概略断面図である。この図に示すように、ヘアケア装置１０は、ヘアドライヤーである。このヘアケア装置１０は、本体部１０Ａと把持部１０Ｂとフード１００とを備える。
【００１１】
本体部１０Ａは、ハウジング１１と、送風器１２と、ヒータ１３と、噴霧器２０とを備える。ハウジング１１は、本体部１０Ａの外郭を構成し、内部に送風路１１１となる空洞が形成されている。ハウジング１１の長手方向の一方側には吸込口１１２が形成され、ハウジング１１の長手方向の他方側には吹出口１１３が形成されている。送風路１１１は、吸込口１１２から吹出口１１３に至る。このハウジング１１の下部に把持部１０Ｂが接続されている。把持部１０Ｂは、ハウジング１１の下部から、送風路１１１に対して直交する方向へ延びている。なお、把持部１０Ｂとハウジング１１とは、一体であってもよく、ヒンジを介して折畳み可能に接続されていてもよい。
【００１２】
送風器１２は、ファン１２１とモータ１２２とを備える。ファン１２１とモータ１２２とは、ハウジング１１内に配されている。ファン１２１は、吸込口１１２の近傍に配されている。モータ１２２は、ファン１２１と吹出口１１３との間に配されている。ファン１２１の回転中心は、モータ１２２の回転軸に接続されている。ファン１２１及びモータ１２２の回転軸は、送風路１１１の中心と同軸に配されている。本実施形態では、ファン１２１は、正面から見て反時計回りに回転して吸込口１１２から吹出口１１３へ送風する。
【００１３】
ヒータ１３は、ハウジング１１内におけるファン１２１と吹出口１１３との間に配されている。このヒータ１３は、従来から公知のヘアドライヤー用の電気抵抗体を備え、ファン１２１により吸込口１１２から吹出口１１３へ送られる風を加熱する。
【００１４】
噴霧器２０は、送風路１１１よりも外周側に配されている。本実施形態では、噴霧器２０は、ハウジング１１の上部に配され、噴霧器２０の吹出口は、ハウジング１１の吹出口１１３の近傍に配されている。
【００１５】
噴霧器２０は、容器ユニット２１と、噴霧ユニット２２とを備える。容器ユニット２１は、噴霧ユニット２２に対して着脱可能に装着される。噴霧ユニット２２は、ハウジング１１の上部に配されている。
【００１６】
容器ユニット２１は、容器２１１と、芯棒２１２と、キャップ２１３とを備える。容器２１１は、芯棒２１２が挿入される開口が形成されている。芯棒２１２は、軸方向一端が容器２１１の開口から突出するように、キャップ２１３を介して容器２１１に取り付けられている。この芯棒２１２は、フェルト等の吸液性、通液性及び保液性に優れた棒材である。
【００１７】
容器２１１は液体を収容する。容器２１１に収容された液体は、芯棒２１２に吸収され、芯棒２１２の先端まで浸透する。ここで、容器２１１に収容される液体としては、化粧剤、芳香剤、薬剤、及び水等を例示できる。
【００１８】
噴霧ユニット２２は、カートリッジ２２１と、付勢部材２２２と、超音波振動子２２３とを備える。カートリッジ２２１は、ハウジング１１の上部に配されており、容器ユニット２１が着脱可能に装着される。容器ユニット２１は、容器２１１の開口が吹出口１１３側を向くようにカートリッジ２２１に装着される。
【００１９】
カートリッジ２２１は、容器２１１の幅方向両側、および底側の三方を囲繞する壁部を備える。このカートリッジ２２１の壁部の一部は開口しており、この開口２２１Ａと容器２１１の開口とが対向している。また、カートリッジ２２１の上面は開閉可能な蓋となっており、この蓋が開いた状態で、容器ユニット２１がカートリッジ２２１に対して着脱される。
【００２０】
付勢部材２２２及び超音波振動子２２３は、カートリッジ２２１内に配されている。付勢部材２２２は、容器２１１の底側とカートリッジ２２１の壁部との間に配され、容器２１１をカートリッジ２２１の開口２２１Ａ側に付勢している。付勢部材２２２としては、圧縮コイルバネや板バネ等のバネやゴム等を例示できる。
【００２１】
超音波振動子２２３は、カートリッジ２２１の開口２２１Ａと芯棒２１２の先端との間に配されている。この超音波振動子２２３は、多数の微小な貫通孔が形成された板状の素子である。ここで、芯棒２１２の先端が付勢部材２２２により超音波振動子２２３に押し当てられていることにより、液体が芯棒２１２から超音波振動子２２３の貫通孔に移動する。
【００２２】
ハウジング１１には不図示のスイッチが設けられている。このスイッチが操作されると超音波振動子２２３が振動する。この超音波振動子２２３の振動によって、超音波振動子２２３の貫通孔に保持された液体が、霧化してカートリッジ２２１の開口２２１Ａから前方（送風方向）に吹出される。
【００２３】
ここで、霧化した液体は、フード１００の上側から送風方向に沿って吹出され、フード１００内に導入される。即ち、フード１００は、その上側から吹出された霧状の液体を導入する構成を有する。以下、フード１００について説明する。
【００２４】
図２は、フード１００を示す斜視図であり、図３は、フード１００を示す正面図であり、図４は、フード１００を示す背面図である。これらの図に示すように、フード１００は、フード本体１０１と、導入部材１０２と、複数の連結部材１０３とを備える。なお、図中の＋ｘ方向を右方向とし、図中の＋ｙ方向を上方向とし、図中のｚ方向を前方向として以下説明する。
【００２５】
フード本体１０１は、円筒状の部材の周方向の一部が欠損した構造の部材である。なお、フード本体１０１の円弧形状は真円であることは必須ではなく楕円でもよい。フード本体１０１は、前方から見て（図３の−ｚ方向に見て）Ｃ字状に構成されており、上側の所定範囲が欠損している。当該所定範囲は、例えば、９０°〜１８０°、好ましくは１００°〜１６０°、より好ましくは１１０°〜１４０°である。本実施形態では、当該所定範囲は、１２０°である。
【００２６】
フード本体１０１の前面側の直径は、フード本体１０１の背面側の直径よりも小さくなっている。また、フード本体１０１の背面側がハウジング１１の吹出口１１３に対して着脱可能に装着される。フード本体１０１の開口が、フード本体１０１の円の中心よりも上側に位置するように、フード本体１０１が吹出口１１３に装着される。
【００２７】
導入部材１０２は、羽部材であり、複数の連結部材１０３を介してフード本体１０１に固定されている。導入部材１０２は、平面視で（図２〜４の−ｙ方向に見て）矩形状又は台形状の板材である。導入部材１０２の４角は、Ｒ形状に形成されている。また、導入部材１０２は湾曲している。この導入部材１０２の湾曲については後に詳細に説明する。連結部材１０３は、棒材である。
【００２８】
導入部材１０２は、フード本体１０１の円の中心の近傍に配されている。導入部材１０２の大部分は、フード本体１０１の円の中心の高さよりも上側に配されている。また、導入部材１０２は、フード本体１０１の前後方向の中央に配されている。
【００２９】
導入部材１０２の正面から見て右側とフード本体１０１の正面から見て右側の上端との間に、１本の連結部材１０３が左右方向に沿って配されている。当該１本の連結部材１０３は、フード本体１０１の前後方向の中央に配されている。当該１本の連結部材１０３の一端とフード本体１０１の正面から見て右側の上端とが結合され、当該１本の連結部材１０３の他端と導入部材１０２の下面（背側の面）とが結合されている。
【００３０】
他方、導入部材１０２の正面から見て左側とフード本体１０１の正面から見て左側の上端との間に、２本の連結部材１０３が左右方向に沿って配されている。当該２本の連結部材１０３は、前後方向に並べて相互に平行に配されている。前側の連結部材１０３の高さは、後側の連結部材１０３の高さより低い。当該２本の連結部材１０３の一端とフード本体１０１の正面から見て左側の上端とが結合され、当該２本の連結部材１０３の他端と導入部材１０２の上面（腹側の面）とが結合されている。
【００３１】
ここで、導入部材１０２は、後方側から前方側（送風方向上流側から下流側）へ下向き（内周側）に傾斜するように配されている。また、導入部材１０２は、右側から左側へ下向きに傾斜するように配されており、噴霧領域の近傍からフード本体１０１の内周側へ延びている。さらに、導入部材１０２の右側は、腹側が下向きに凹となるように湾曲する一方、導入部材１０２の左側は、腹側が上向きに凸となるように湾曲している。
【００３２】
ファン１２１（図１参照）は、図３の反時計回り方向（図中矢印Ｗ方向）に回転し、図中矢印Ｗ方向に旋回する風を送る。フード１００を通過する風は、コアンダ効果により導入部材１０２の腹側の面と背側の面とに沿って流れる。
【００３３】
ここで、導入部材１０２が後方側から前方側へ下向きに傾斜していることにより、フード本体１０１の開口付近において、風の流れが、後方側から前方側へ下向き（内周側）に傾斜した向きに生じる。これにより、導入部材１０２の上側に吹出された霧状の液体が、導入部材１０２に沿った下向きの風の流れにより誘引されてフード本体１０１の内側に導入される。また、導入部材１０２の背面側で生じる乱流が抑制される。
【００３４】
また、導入部材１０２が右側から左側へ下向きに傾斜し、噴霧領域の近傍からフード本体１０１の内周側に延びていることにより、フード本体１０１の開口付近において、風の流れが、ファン１２１の回転方向に沿った向きに生じる。これにより、フード本体１０１の内側に導入された霧状の液体が効果的に風に混合される。
【００３５】
さらに、導入部材１０２が上述の湾曲形状であることにより、コアンダ効果が生じ易くなり、霧状の液体のフード本体１０１内への導入が促進される。
【００３６】
本出願の発明者等は、ヘアケア装置１０の効果を検証する実験を実施した。以下、本実験について説明する。
【００３７】
図５は、一実施例に係るヘアケア装置を用いた実験を示す写真である。この写真に示すように、本実験で用いた実験機は、ヘアドライヤーの上部に噴霧器２０を装着し、ヘアドライヤーの吹出口１１３にフード１００を装着したものである。本実験では、噴霧器２０の容器２１１に水を入れて噴霧器２０からミストを放出させた。また、ヘアドライヤーのファンを作動させて送風した。
【００３８】
図６は、比較例に係るヘアケア装置を用いた実験を示す写真である。この写真に示すように、本実験で用いた実験機は、上記実施例と同じヘアドライヤーの上部に噴霧器２０を装着したものである。本実施形態では、噴霧器２０の容器２１１に水を入れて噴霧器２０からミストを放出させた。また、ヘアドライヤーのファンを作動させて送風した。
【００３９】
図６に示す比較例の実験では、噴霧されたミストが、僅かにヘアドライヤーの風に誘引されるにとどまることが確認された。それに対して、図５に示す実施例の実験では、噴霧されたミストが、顕著にフード本体１０１内に導入されてヘアドライヤーの風と混合することが確認された。
【００４０】
なお、以上に説明した実施形態は、本発明の理解を容易にするために記載されたものであって、本発明を限定するために記載されたものではない。したがって、上記の実施形態において開示された各要素は、本発明の技術的範囲に属する全ての設計変更や均等物をも含む趣旨である。
【００４１】
例えば、上記の実施形態では、霧状に液体を噴射する噴霧器を例に挙げたが、霧状に粉体を噴射する噴霧器についても採用可能である。霧状に噴射された粉体は、導入部材１０２によりフード本体１０１内に導入される。
【００４２】
また、上記の実施形態では、噴霧器をヘアケア装置の上部に設けたが、ヘアケア装置の側部や下部に設けてもよい。さらに、噴霧器の噴射口をヘアケア装置のハウジングの外側に設けると共にフードに開口を形成することは必須ではなく、噴霧器の噴射口をフードの内側に配置し、フードに開口を形成しないようにしてもよい。
【符号の説明】
【００４３】
１０  ヘアケア装置、１０Ａ  本体部、１０Ｂ  把持部、１１  ハウジング、１２  送風器、１３  ヒータ、２０  噴霧器、１００  フード、１０１  フード本体、１０２  導入部材、１０３  連結部材、１１１  送風路、１１２  吸込口、１１３  吹出口、１２１  ファン、１２２  モータ、２１１  容器、２１２  芯棒、２１３  キャップ
【図１】
2020141919.tif 000003
【図２】
2020141919.tif 000004
【図３】
2020141919.tif 000005
【図４】
2020141919.tif 000006
【図５】
2020141919.tif 000007
【図６】
2020141919.tif 000008
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
ヘアケア装置用のフードであって、
前記ヘアケア装置は、
送風路を構成し、風の吹出口に前記フードが装着されるハウジングと、
前記ハウジング内に設けられ前記吹出口へ送風する送風器と、
前記送風路の外周側に配され霧状体を送風方向に沿って噴射する噴霧器と
を備え、
前記フードは、
前記吹出口から送風方向へ延び、部材の周方向の一部が欠損した欠損部を含むフード本体と、
前記欠損部において前記フード本体に支持され、前記噴霧器から噴射された前記霧状体を前記フード本体の外周側から内周側に導入する導入部材と
を備えるヘアケア装置用のフード。
【請求項２】
前記導入部材は、第１面及び前記第１面と対向する第２面を有し、
前記第１面は、第１の連結部材と結合して前記フード本体に支持され、
前記第２面は、第２の連結部材と結合して前記フード本体に支持される請求項１に記載のヘアケア装置用フード。
【請求項３】
前記導入部材は、前記霧状体の噴霧領域に面して配された羽部材である請求項１に記載のヘアケア装置用のフード。
【請求項４】
前記羽部材は、送風方向上流側から下流側にかけて前記フード本体の内周側に向かって傾斜している請求項３に記載のヘアケア装置用のフード。
【請求項５】
前記羽部材は、送風方向に見て前記霧状体の噴霧領域の近傍から前記フード本体の内周側へ延びるように設けられている請求項４に記載のヘアケア装置用のフード。
【請求項６】
前記霧状体は、霧状の液体又は粉体である請求項１〜５の何れか１項に記載のヘアケア装置用のフード。
【請求項７】
請求項１〜６の何れか１項に記載のヘアケア装置用のフードと、
送風路を構成し、風の吹出口に前記フードが装着されるハウジングと、
前記ハウジング内に設けられ前記吹出口へ送風する送風器と、
前記送風路の外周側に配され霧状体を送風方向に沿って噴射する噴霧器と
を備えるヘアケア装置。